(57)【要約】【課題】高速なパケット通信チャネルにおけるピークレートを確保しつつ、他の移動局などへの干渉を効果的に抑制できる送信電力制御装置及び送信電力制御方法を提供する。【解決手段】無線基地局２００は、無線信号の受信品質が目標受信SIRに近づくように、無線信号の送信電力を所定ステップだけ上昇させるTPCビット（＋１）または無線信号の送信電力を所定ステップだけ低下させるTPCビット（−１）を所定間隔ごとに移動局に送信する。無線基地局２００は、所定期間に送信したTPCビット（＋１）の割合がｎ％を超えるか否かを監視するTPCビット監視部２１１と、当該割合がｎ％を超えたことが検出された場合、所定間隔ごとにTPCビット（−１）を連続してＹ回に渡って送信するTPCビット調整部２１３とを備える。【選択図】図２
2010226353.tif 000002
【特許請求の範囲】
【請求項１】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御装置であって、
所定期間に送信した前記上昇コマンドの割合が所定値を超えるか否かを監視するコマンド監視部と、
前記コマンド監視部によって前記割合が前記所定値を超えたことが検出された場合、前記所定間隔ごとに前記低下コマンドを連続して複数回に渡って送信するコマンド調整部と
を備える送信電力制御装置。
【請求項２】
前記コマンド調整部は、前記測定品質値が前記目標品質値に到達していない場合でも、強制的に前記低下コマンドを連続して複数回に渡って送信する請求項１に記載の送信電力制御装置。
【請求項３】
前記コマンド監視部は、前記上昇コマンドが所定回数連続して送信されたか否かを監視し、
前記コマンド調整部は、前記上昇コマンドが所定回数連続して送信されたことが検出された場合、前記低下コマンドを連続して複数回に渡って送信する請求項１に記載の送信電力制御装置。
【請求項４】
前記コマンド監視部によって前記割合が前記所定値を超えたことが検出された場合、前記目標品質値を低下させる目標品質値設定部をさらに備える請求項１に記載の送信電力制御装置。
【請求項５】
前記コマンド監視部は、前記上昇コマンドが所定回数連続して送信されたか否かを監視し、
前記目標品質値設定部は、前記上昇コマンドが所定回数連続して送信されたことが検出された場合、前記目標品質値を低下させる請求項４に記載の送信電力制御装置。
【請求項６】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、
所定期間に送信した前記上昇コマンドの割合が所定値を超えるか否かを監視するステップと、
前記監視するステップにおいて前記割合が前記所定値を超えたことが検出された場合、前記所定間隔ごとに前記低下コマンドを連続して複数回に渡って送信するステップと
を備える送信電力制御方法。
【請求項７】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御装置であって、
所定期間に送信した前記上昇コマンドの割合が所定値を超えるか否かを監視するコマンド監視部と、
前記コマンド監視部によって前記割合が前記所定値を超えたことが検出された場合、前記目標品質値を低下させる目標品質値設定部と
を備える送信電力制御装置。
【請求項８】
前記コマンド監視部は、前記上昇コマンドが所定回数連続して送信されたか否かを監視し、
前記目標品質値設定部は、前記上昇コマンドが所定回数連続して送信されたことが検出された場合、前記目標品質値を低下させる請求項７に記載の送信電力制御装置。
【請求項９】
前記無線信号を構成する遅延多重波の合成後の信号に含まれるパス数を測定するパス測定部を備え、
前記目標品質値設定部は、前記パス測定部によって測定された前記パス数に応じて、前記目標品質値の低下量を変更する請求項７に記載の送信電力制御装置。
【請求項１０】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、
所定期間に送信した前記上昇コマンドの割合が所定値を超えるか否かを監視するステップと、
前記監視するステップにおいて前記割合が前記所定値を超えたことが検出された場合、前記目標品質値を低下させるステップと
を備える送信電力制御方法。
【請求項１１】
無線信号の受信品質を測定した測定品質値に基づいて、前記受信品質が目標品質値に近づくように、前記無線信号の送信電力を上昇させる上昇コマンドまたは前記無線信号の送信電力を低下させる低下コマンドを所定間隔ごとに前記無線信号の送信元に送信する送信電力制御装置であって、
前記無線信号を構成する遅延多重波の合成後の信号に含まれるパス数を測定するパス測定部と、
前記パス測定部によって測定された前記パス数に応じて、前記目標品質値もしくは前記目標品質値の上限値を変更する目標品質値設定部と
を備える送信電力制御装置。
【請求項１２】
前記目標品質値設定部は、前記パス測定部によって測定された前記パス数が所定数よりも多い場合、前記目標品質値もしくは前記目標品質値の上限値を低下させる請求項１１に記載の送信電力制御装置。
【請求項１３】
無線信号の受信品質を測定した測定品質値に基づいて、前記受信品質が目標品質値に近づくように、前記無線信号の送信電力を上昇させる上昇コマンドまたは前記無線信号の送信電力を低下させる低下コマンドを所定間隔ごとに前記無線信号の送信元に送信する送信電力制御方法であって、
前記無線信号を構成する遅延多重波の合成後の信号に含まれるパス数を測定するステップと、
測定された前記パス数に応じて、前記目標品質値を変更するステップと
を備える送信電力制御方法。
【請求項１４】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御装置であって、
所定期間に送信した前記低下コマンドの割合が所定値を超えるか否かを監視するコマンド監視部と、
前記コマンド監視部によって前記割合が前記所定値を超えたことが検出された場合、前記所定間隔ごとに前記上昇コマンドを連続して複数回に渡って送信するコマンド調整部と
を備える送信電力制御装置。
【請求項１５】
前記コマンド監視部は、前記低下コマンドが所定回数に渡って連続して送信されたか否かを監視し、
前記コマンド調整部は、前記低下コマンドが所定回数連続して送信されたことが検出された場合、前記上昇コマンドを連続して複数回に渡って送信する請求項１４に記載の送信電力制御装置。
【請求項１６】
無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、
所定期間に送信した前記低下コマンドの割合が所定値を超えるか否かを監視するステップと、
前記監視するステップにおいて前記割合が前記所定値を超えたことが検出された場合、前記所定間隔ごとに前記上昇コマンドを連続して複数回に渡って送信するステップと
を備える送信電力制御方法。
【発明の詳細な説明】
【技術分野】
【０００１】
本発明は、無線信号の受信品質を測定した測定品質値に基づいて、無線信号の送信電力を所定ステップだけ上昇させる上昇コマンドまたは無線信号の送信電力を所定ステップだけ低下させる低下コマンドを無線信号の送信元に送信する送信電力制御装置及び送信電力制御方法に関する。
【背景技術】
【０００２】
従来、第３世代移動体通信システムなどの移動体通信システムでは、同時に通信を実行する他の移動局などとの干渉を抑制するため、復号後の受信データの品質（CRC判定による誤り率など）に基づいて目標受信SIR（目標品質値）を調整するアウターループ制御、及び受信した無線信号を測定することによって得られる測定受信SIR（測定品質値）と目標受信SIRとを比較し、所定ステップだけ送信電力を上昇または低下させるインナーループ制御が広く用いられている（例えば、特許文献１）。
【０００３】
具体的には、アウターループ制御では、受信データのCRC判定結果が誤っている場合、所定量（Δup）だけ目標受信SIRを上昇させ、受信データのCRC判定結果が正しい場合、所定量（Δdown）だけ目標受信SIRを低下させる。
【０００４】
インナーループ制御では、測定受信SIRが目標受信SIRよりも低い場合、送信電力を所定ステップ（例えば、１ｄＢ）だけ上昇させる送信電力制御（TPC）ビット（＋１）が所定間隔ごとに送信され、測定受信SIRが目標受信SIRよりも高い場合、送信電力を所定ステップだけ低下させるTPCビット（−１）が所定間隔ごとに送信される。
【先行技術文献】
【特許文献】
【０００５】
【特許文献１】特開２００６−２５４５０６号公報（第４−５頁、第９−１１図）
【発明の概要】
【発明が解決しようとする課題】
【０００６】
近年、移動体通信システムでは、3GPPにおいて規定されたHigh Speed Downlink Packet Access（HSDPA）やEnhanced Up Link（EUL）など、伝送速度の高速化を実現する方式が実現されている。このような方式によれば、高速なパケット通信チャネルを提供できるが、次のような問題がある。
【０００７】
すなわち、高速なパケット通信チャネルを一定の品質で提供するためには、高い目標受信SIRが必要となる。このため、上り方向における送信電力制御であれば、移動局に対して送信電力の上昇を要求するTPCビット（＋１）が送信される。しかしながら、移動局が送信電力を上昇させても、無線基地局における測定受信SIRが目標受信SIRに到達し難い状態が発生し得る。このような状態は、特に、高いスループットを達成するために高い目標受信SIRが設定された場合に発生し易い。
【０００８】
具体的には、移動局と無線基地局との間の伝播環境がシングルパスでない場合、つまり、マルチパス環境である場合、移動局が送信電力（S）を上昇すると、干渉電力（I）も同様に大きくなり、測定受信SIRが向上しない問題がある。この結果、移動局は、測定受信SIRを目標受信SIRに到達させようとして送信電力を上昇し続けるため、急激なRTWP（Received Total Wideband Power）の上昇を招いてしまい、他の移動局などに対して多大な干渉を与える。
【０００９】
このような問題は、目標受信SIRの上限値を抑えることによってある程度解決できるが、この場合、シングルパスの場合でも送信電力の上限値が制限されてしまうため、パケット通信チャネルにおけるピークレートが低下する別の問題が発生する。
【００１０】
そこで、本発明は、このような状況に鑑みてなされたものであり、高速なパケット通信チャネルにおけるピークレートを確保しつつ、他の移動局などへの干渉を効果的に抑制できる送信電力制御装置及び送信電力制御方法の提供を目的とする。
【課題を解決するための手段】
【００１１】
上述した問題を解決するため、本発明は、次のような特徴を有している。まず、本発明の第１の特徴は、無線信号（無線信号ＲＳ）の受信品質（SIR）を測定した測定品質値（測定受信SIR）に基づいて、前記受信品質が目標品質値（目標受信SIR）に近づくように、前記無線信号の送信電力を所定ステップ（例えば、１ｄＢ）だけ上昇させる上昇コマンド（TPCビット（＋１））または前記無線信号の送信電力を前記所定ステップだけ低下させる低下コマンド（TPCビット（−１））を所定間隔（スロット）ごとに前記無線信号の送信元（例えば、移動局３００Ａ）に送信する送信電力制御装置（無線基地局２００）であって、所定期間（ｍ回）に送信した前記上昇コマンドの割合が所定値（ｎ％）を超えるか否かを監視するコマンド監視部（TPCビット監視部２１１）と、前記コマンド監視部によって前記割合が前記所定値を超えたことが検出された場合、前記所定間隔ごとに前記低下コマンドを連続して複数回（Ｙ回）に渡って送信するコマンド調整部（TPCビット調整部２１３）とを備えることを要旨とする。
【００１２】
本発明の第２の特徴は、本発明の第１の特徴に係り、前記コマンド調整部は、前記測定品質値が前記目標品質値に到達していない場合でも、強制的に前記低下コマンドを連続して複数回に渡って送信することを要旨とする。
【００１３】
本発明の第３の特徴は、本発明の第１の特徴に係り、前記コマンド監視部は、前記上昇コマンドが所定回数（Ｘ回）連続して送信されたか否かを監視し、前記コマンド調整部は、前記コマンド監視部によって前記上昇コマンドが所定回数連続して送信されたことが検出された場合、前記低下コマンドを連続して複数回に渡って送信することを要旨とする。
【００１４】
本発明の第４の特徴は、本発明の第１の特徴に係り、前記コマンド監視部によって前記割合が前記所定値を超えたことが検出された場合、前記目標品質値を低下させる目標品質値設定部をさらに備えることを要旨とする。
【００１５】
本発明の第５の特徴は、本発明の第４の特徴に係り、前記コマンド監視部は、前記上昇コマンドが所定回数連続して送信されたか否かを監視し、前記目標品質値設定部は、前記上昇コマンドが所定回数連続して送信されたことが検出された場合、前記目標品質値を低下させることを要旨とする。
【００１６】
本発明の第６の特徴は、無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、所定期間に送信した前記上昇コマンドの割合が所定値を超えるか否かを監視するステップと、前記監視するステップにおいて前記割合が前記所定値を超えたことが検出された場合、前記所定間隔ごとに前記低下コマンドを連続して複数回に渡って送信するステップとを備えることを要旨とする。
【００１７】
本発明の第７の特徴は、無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御装置であって、所定期間に送信した前記上昇コマンドの割合が所定値を超えるか否かを監視するコマンド監視部（TPCビット監視部２１１Ａ）と、前記コマンド監視部によって前記割合が前記所定値を超えたことが検出された場合、前記目標品質値を低下させる目標品質値設定部（目標SIR設定部２０５Ａ）とを備えることを要旨とする。
【００１８】
本発明の第８の特徴は、本発明の第７の特徴に係り、前記コマンド監視部は、前記上昇コマンドが所定回数連続して送信されたか否かを監視し、前記目標品質値設定部は、前記コマンド監視部によって前記上昇コマンドが所定回数連続して送信されたことが検出された場合、前記目標品質値を低下させることを要旨とする。
【００１９】
本発明の第９の特徴は、本発明の第７の特徴に係り、前記無線信号を構成する遅延多重波の合成後の信号に含まれるパス数を測定するパス測定部（パス測定部２１５）を備え、前記目標品質値設定部は、前記パス測定部によって測定された前記パス数に応じて、前記目標品質値の低下量を変更することを要旨とする。
【００２０】
本発明の第１０の特徴は、無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、所定期間に送信した前記上昇コマンドの割合が所定値を超えるか否かを監視するステップと、前記監視するステップにおいて前記割合が前記所定値を超えたことが検出された場合、前記目標品質値を低下させるステップとを備えることを要旨とする。
【００２１】
本発明の第１１の特徴は、無線信号の受信品質を測定した測定品質値に基づいて、前記受信品質が目標品質値に近づくように、前記無線信号の送信電力を上昇させる上昇コマンドまたは前記無線信号の送信電力を低下させる低下コマンドを所定間隔ごとに前記無線信号の送信元に送信する送信電力制御装置であって、前記無線信号を構成する遅延多重波の合成後の信号に含まれるパス数を測定するパス測定部（パス測定部２１５）と、前記パス測定部によって測定された前記パス数に応じて、前記目標品質値もしくは前記目標品質値の上限値を変更する目標品質値設定部（目標SIR設定部２０５Ｂ）とを備えることを要旨とする。
【００２２】
本発明の第１２の特徴は、本発明の第１１の特徴に係り、前記目標品質値設定部は、前記パス測定部によって測定された前記パス数が所定数よりも多い場合、前記目標品質値もしくは前記目標品質値の上限値を低下させることを要旨とする。
【００２３】
本発明の第１３の特徴は、無線信号の受信品質を測定した測定品質値に基づいて、前記受信品質が目標品質値に近づくように、前記無線信号の送信電力を上昇させる上昇コマンドまたは前記無線信号の送信電力を低下させる低下コマンドを所定間隔ごとに前記無線信号の送信元に送信する送信電力制御方法であって、前記無線信号を構成する遅延多重波の合成後の信号に含まれるパス数を測定するステップと、測定された前記パス数に応じて、前記目標品質値を変更するステップとを備えることを要旨とする。
【００２４】
本発明の第１４の特徴は、無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御装置であって、所定期間（ａ回）に送信した前記低下コマンドの割合が所定値（ｂ％）を超えるか否かを監視するコマンド監視部と、前記コマンド監視部によって前記割合が前記所定値を超えたことが検出された場合、前記所定間隔ごとに前記上昇コマンドを連続して複数回（Ｑ回）に渡って送信するコマンド調整部とを備えることを要旨とする。
【００２５】
本発明の第１５の特徴は、本発明の第１４の特徴に係り、前記コマンド監視部は、前記低下コマンドが所定回数（Ｐ回）連続して送信されたか否かを監視し、前記コマンド調整部は、前記コマンド監視部によって前記低下コマンドが所定回数連続して送信されたことが検出された場合、前記上昇コマンドを連続して複数回に渡って送信することを要旨とする。
【００２６】
本発明の第１６の特徴は、無線信号の受信品質を測定した測定品質値に基づいて、前記受信品質が目標品質値に近づくように、前記無線信号の送信電力を所定ステップだけ上昇させる上昇コマンドまたは前記無線信号の送信電力を前記所定ステップだけ低下させる低下コマンドを所定間隔ごとに前記無線信号の送信元に送信する送信電力制御方法であって、所定期間に送信した前記低下コマンドの割合が所定値を超えるか否かを監視するステップと、前記監視するステップにおいて前記割合が前記所定値を超えたことが検出された場合、前記所定間隔ごとに前記上昇コマンドを連続して複数回に渡って送信するステップとを備えることを要旨とする。
【発明の効果】
【００２７】
本発明の特徴によれば、高速なパケット通信チャネルにおけるピークレートを確保しつつ、他の移動局などへの干渉を効果的に抑制できる送信電力制御装置及び送信電力制御方法を提供できる。
【図面の簡単な説明】
【００２８】
【図１】本発明の実施形態に係る移動体通信システム１０の全体概略構成図である。
【図２】本発明の第１実施形態に係る無線基地局２００の機能ブロック構成図である。
【図３】本発明の第１実施形態に係る無線基地局２００の動作フローを示す図である。
【図４】本発明の第１実施形態に係るTPCビットの送信状態の例を示す図である。
【図５】本発明の第１実施形態の変更例に係るTPCビットの送信状態の例を示す。
【図６】マルチパス環境の場合において移動局３００Ａが送信電力を上昇し続ける状況の説明図である。
【図７】シングルパス環境の場合において移動局３００Ａが送信電力を上昇する状況の説明図である。
【図８】本発明の第２実施形態に係る無線基地局２００Ａの機能ブロック構成図である。
【図９】本発明の第２実施形態に係る無線基地局２００Ａの動作フローを示す図である。
【図１０】本発明の第２実施形態に係る目標受信SIRの推移及びTPCビットの送信状態の例を示す図である。
【図１１】本発明の第３実施形態に係る無線基地局２００Ｂの機能ブロック構成図である。
【図１２】本発明の第３実施形態に係る無線基地局２００Ｂの動作フローを示す図である。
【発明を実施するための形態】
【００２９】
次に、本発明の実施形態について説明する。具体的には、本発明の第１実施形態〜第３実施及びその他の実施形態について説明する。
【００３０】
なお、以下の図面の記載において、同一または類似の部分には、同一または類似の符号を付している。但し、図面は模式的なものであり、各寸法の比率などは現実のものとは異なることに留意すべきである。
【００３１】
したがって、具体的な寸法などは以下の説明を参酌して判断すべきものである。また、図面相互間においても互いの寸法の関係や比率が異なる部分が含まれていることは勿論である。
【００３２】
［第１実施形態］
第１実施形態では、（１）移動体通信システムの全体概略構成、（２）送信電力制御装置の機能ブロック構成、（３）送信電力制御装置の動作、（４）変更例及び（５）作用・効果について説明する。
【００３３】
（１）移動体通信システムの全体概略構成
図１は、本実施形態に係る移動体通信システム１０の全体概略構成図である。図１に示すように、移動体通信システム１０は、無線ネットワーク制御装置１００（以下、ＲＮＣ１００）、無線基地局２００及び移動局３００Ａ，３００Ｂによって構成される。なお、移動体通信システム１０に含まれる無線基地局及び移動局の数は、図１に示した数に限定されない。
【００３４】
ＲＮＣ１００は、通信ネットワーク２０に接続される。通信ネットワーク２０には、他の通信網（例えば、固定電話網やインターネット）が接続されている。
【００３５】
無線基地局２００は、移動局３００Ａ，３００Ｂと無線信号ＲＳを送受信する。また、無線基地局２００は、ＲＮＣ１００と接続される。
【００３６】
移動体通信システム１０は、3rd Generation Partnership Project（3GPP）によって規定された無線通信方式、具体的には、W-CDMA方式を採用する。また、移動体通信システム１０では、伝送速度を向上させたHigh Speed Downlink Packet Access（HSDPA）及びEnhanced UpLink（EUL）が導入されている。
【００３７】
また、移動体通信システム１０では、上り方向及び下り方向において送信電力制御が用いられている。特に、上り方向については、無線基地局２００と移動局３００Ａ（３００Ｂ）との間において実行されるインナーループ制御と、ＲＮＣ１００が、復号後の受信データの品質（CRC判定による誤り率など）に基づいて目標受信SIR（目標品質値）を調整し、目標受信SIRを無線基地局２００に通知するアウターループ制御とが併用される。また、EULにおけるアウターループ制御では、ＲＮＣ１００と移動局３００Ａ（３００Ｂ）でなく、無線基地局２００と移動局３００Ａ（３００Ｂ）の間でアウターループ制御が適用される場合もある。
【００３８】
インナーループ制御では、無線信号ＲＳの受信品質（具体的にはSIR）を測定した測定受信SIR（測定品質値）に基づいて、受信品質が目標受信SIRに近づくように、無線信号ＲＳの送信電力を所定ステップ（例えば、１ｄＢ）だけ上昇させるTPCビット（＋１）（上昇コマンド）が所定間隔（例えば、スロット）ごとに無線信号ＲＳの送信元（例えば、移動局３００Ａ）に送信される。或いは、測定受信SIRに基づいて、無線信号ＲＳの送信電力を所定ステップだけ低下させるTPCビット（−１）（低下コマンド）を所定間隔ごとに無線信号ＲＳの送信元に送信される。
【００３９】
（２）送信電力制御装置の機能ブロック構成
図２は、本実施形態において、送信電力制御装置を構成する無線基地局２００の機能ブロック構成図である。
【００４０】
図２に示すように、無線基地局２００は、信号受信部２０１、SIR測定部２０３、目標SIR設定部２０５、比較判定部２０７、TPCビット生成部２０９、TPCビット監視部２１１及びTPCビット調整部２１３を備える。なお、以下、本発明との関連がある部分について主に説明する。したがって、無線基地局２００は、無線基地局２００としての機能を実現する上で必須な、図示しない或いは説明を省略したブロック（電源部など）を備える場合があることに留意されたい。
【００４１】
信号受信部２０１は、移動局３００Ａ（３００Ｂ）から無線信号ＲＳを受信し、受信した無線信号ＲＳを用いた復調や、無線信号ＲＳを構成する遅延多重波の合成（RAKE合成）を実行する。
【００４２】
SIR測定部２０３は、信号受信部２０１から出力された信号の信号電力対干渉電力比（SIR）を周期的に測定し、測定したSIRを測定受信SIRとして比較判定部２０７に出力する。
【００４３】
目標SIR設定部２０５は、ＲＮＣ１００から通知される目標受信SIRを取得し、取得した目標受信SIRを設定する。
【００４４】
比較判定部２０７は、SIR測定部２０３から出力された測定受信SIRと、目標SIR設定部２０５において設定された目標受信SIRと比較する。比較判定部２０７は、比較の結果、測定受信SIR及び目標受信SIRの何れが高い（或いは低い）かを判定する。
【００４５】
TPCビット生成部２０９は、比較判定部２０７による判定結果に基づいて、移動局３００Ａ（３００Ｂ）が送信する無線信号ＲＳの電力を所定ステップだけ上昇させるTPCビット（＋１）、または無線信号ＲＳの電力を所定ステップだけ低下させるTPCビット（−１）を生成する。
【００４６】
具体的には、TPCビット生成部２０９は、測定受信SIRが目標受信SIRよりも低い場合、TPCビット（＋１）を生成する。一方、TPCビット生成部２０９は、測定受信SIRが目標受信SIRよりも高い場合、TPCビット（−１）を生成する。
【００４７】
TPCビット監視部２１１は、TPCビット生成部２０９によって生成され、送信側の制御チャネルにマッピングされるTPCビットの種類（＋１または−１）を監視する。但し、TPCビット調整部２１３によって後述する送信電力強制ダウンフラグがONになっている場合、TPCビット監視部２１１は、当該監視を中止する。
【００４８】
本実施形態では、TPCビット監視部２１１は、SIR測定部２０３による周期的な測定の結果、測定受信SIRが目標受信SIRよりも低い状態がX回連続して続くことによって、TPCビット（＋１）がＸ回連続して送信されたか否かを監視する。本実施形態において、TPCビット監視部２１１は、コマンド監視部を構成する。
【００４９】
また、TPCビット監視部２１１は、測定受信SIRが目標受信SIRよりも低い状態が発生し、ｍ回のTPCビット送信期間に送信したTPCビット（＋１）の割合がｎ％を超えるか否かを監視することもできる。
【００５０】
TPCビット調整部２１３は、TPCビット（＋１）がＸ回連続して送信されたこと、或いは上述した割合がｎ％を超えたことがTPCビット監視部２１１によって検出された場合、送信側の制御チャネルにマッピングされるTPCビットの種類を調整する。
【００５１】
具体的には、TPCビット調整部２１３は、所定間隔（スロット）ごとにTPCビット（−１）を連続して複数回（Ｙ回）に渡って送信する。本実施形態において、TPCビット調整部２１３は、コマンド調整部を構成する。
【００５２】
TPCビット調整部２１３は、TPCビット（＋１）がＸ回連続して送信されたこと（或いは上述した割合がｎ％を超えたこと）がTPCビット監視部２１１によって検出された場合、測定受信SIRが目標受信SIRに到達していない場合でも、強制的にTPCビット（−１）を連続して複数回に渡って送信する。つまり、TPCビット調整部２１３は、測定受信SIRが目標受信SIRよりも低い状態が発生し、TPCビット生成部２０９においてTPCビット（＋１）が生成された場合でも、TPCビット（＋１）が既にＸ回連続して送信されている場合、TPCビット（−１）を連続して複数回に渡って送信する。
【００５３】
また、TPCビット調整部２１３は、強制的にTPCビット（−１）を送信している間、「送信電力強制ダウンフラグ」をONに設定する。
【００５４】
（３）送信電力制御装置の動作
図３は、本実施形態に係る無線基地局２００（送信電力制御装置）の動作フローを示す。また、図４は、本実施形態に係るTPCビットの送信状態の例を示す。本実施形態では、上述したように、TPCビット（＋１）がＸ回連続して送信された場合、強制的にTPCビット（−１）が連続して複数回に渡って送信される。
【００５５】
図３に示すように、ステップＳ１０１において、無線基地局２００は、測定受信SIRと目標受信SIRとを比較した結果に基づいて、TPCビットを生成する。
【００５６】
ステップＳ１０３において、無線基地局２００は、送信電力強制ダウンフラグがONに設定されているか否かを判定する。
【００５７】
送信電力強制ダウンフラグがOFFに設定されている場合（ステップＳ１０３のＮｏ）、ステップＳ１０５において、無線基地局２００は、TPCビットの送信結果に基づいてTPCビット調整部２１３よりフィードバックされた「送信済TPCビット」に基づいて、TPCビット（＋１）がX回連続して送信されているか否かを判定する。
【００５８】
TPCビット（＋１）がX回連続して送信されている場合（ステップＳ１０５のＹｅｓ）、ステップＳ１０７において、無線基地局２００は、TPCビット（＋１）がX回連続して送信されていると判定した以降のＹスロットにおいて送信電力強制ダウンフラグをONにする。
【００５９】
送信電力強制ダウンフラグがONの場合、ステップＳ１０９において、無線基地局２００は、TPCビット生成部２０９によって生成された当該スロットのTPCビットを強制的にダウンする。この結果、TPCビット（−１）を連続してＹ回に渡って送信される。
【００６０】
TPCビット（＋１）がX回連続して送信されていない場合（ステップＳ１０５のＮｏ）、ステップＳ１１１において、無線基地局２００は、TPCビットの変更なしと判定する。この結果、TPCビット生成部２０９によって生成されたTPCビットがそのまま送信される。
【００６１】
ステップＳ１１３において、無線基地局２００は、送信したTPCビットを「送信済TPCビット」としてフィードバックする。フィードバックされたTPCビットは、次回のステップＳ１０５の処理において参照される。
【００６２】
なお、図３に示した動作フローでは、TPCビット（＋１）がＸ回連続して送信された場合、TPCビット（−１）を連続してＹ回に渡って送信しているが、ｍ回のTPCビット送信期間に送信したTPCビット（＋１）の割合がｎ％を超えた場合にTPCビット（−１）を連続して送信してもよい。
【００６３】
（４）変更例
次に、本実施形態に係る変更例について説明する。図５は、本変更例に係るTPCビットの送信状態の例を示す。
【００６４】
本変更例では、TPCビット監視部２１１は、ａ回のTPCビット送信期間に送信したTPCビット（−１）の割合がｂ％を超えるか否かを監視する。つまり、本変更例では、TPCビット監視部２１１は、TPCビット（＋１）ではなく、TPCビット（−１）の送信割合を監視する。また、TPCビット監視部２１１は、TPCビット（−１）がＰ回連続して送信されたか否かを監視することもできる。
【００６５】
本変更例に係るTPCビット調整部２１３は、TPCビット監視部２１１によって上述した割合がｂ％を超えたことが検出された場合、所定間隔（スロット）ごとにTPCビット（＋１）を連続してＱ回に渡って送信する。また、TPCビット調整部２１３は、前TPCビット監視部２１１によってTPCビット（−１）がＰ回連続して送信されたことが検出された場合、TPCビット（＋１）を連続してＱ回に渡って送信してもよい。
【００６６】
本変更例に係る動作は、図３に示した動作と併用することが好ましい。但し、本変更例に係る動作を単独で実行しても構わない。また、図３に示した動作と併用する場合、Ｐ回、Ｑ回、ａ回、ｂ％は、上述したＸ回、Ｙ回、ｍ回及びｎ％と異なることが好ましい。
【００６７】
つまり、TPCビット（−１）が連続して送信されると無線信号ＲＳの受信品質が想定より劣化する場合があり、BLERが低下するとアウターループ制御によって目標受信SIRが高められる。この結果、測定受信SIRに対して目標受信SIRが高い期間が継続すると、TPCビット（＋１）が送信される期間が長くなり、急激なRTWP（Received Total Wideband Power）の変動を招いてしまう。本変更例に係る動作によれば、TPCビット（−１）が連続して送信されることも抑えられ、急激なRTWPの変動を回避できる。
【００６８】
（５）作用・効果
本実施形態において送信電力制御装置を構成する無線基地局２００によれば、測定受信SIRが目標受信SIRよりも低い状態がX回連続して続くことによってTPCビット（＋１）がＸ回連続して送信された場合、TPCビット（−１）が連続してＹ回に渡って送信される。
【００６９】
ここで、図６（ａ）〜（ｃ）は、マルチパス環境の場合において移動局３００Ａが送信電力を上昇し続ける状況の説明図である。また、比較のため図７（ａ）〜（ｃ）にシングルパス環境の場合を示す。
【００７０】
図６（ａ）及び図７（ａ）に示すように、高速なパケット通信チャネルが設定される（Ａ１部分）と、低い目標受信SIRでは復号後の受信データの誤り率が高くなるため、アウターループ制御において高い目標受信SIRが設定される（Ａ２部分）。通常時（シングルパス環境）においては、高速なパケット通信チャネルの設定に伴って目標受信SIRが高くなっても、測定受信SIRが目標受信SIRに追従でき、送信電力及び受信電力の大きな上昇がない（図７（ｂ）及び（ｃ）参照）。
【００７１】
一方、マルチパス環境の場合、移動局３００Ａが送信電力（S）を上昇すると、干渉電力（I）も同様に大きくなり、無線基地局２００における測定受信SIRが向上しない。このため、図６（ｂ）に示すように、移動局３００Ａは、測定受信SIRが目標受信SIRに到達するまで、送信電力を上昇し続ける。移動局３００Ａが送信電力を上昇し続けると、図６（ｃ）に示すように、無線基地局２００などにおける受信電力が非常に大きくなる（図６（ｃ）のＡ４部分）。
【００７２】
本実施形態では、このような場合でも、他の移動局などに対して多大な干渉を与える状態を回避できる。このため、高速なパケット通信チャネルにおけるピークレートを確保しつつ、他の移動局などへの干渉を効果的に抑制できる。
【００７３】
また、本実施形態では、測定受信SIRが目標受信SIRよりも低い状態が発生し、TPCビット生成部２０９においてTPCビット（＋１）が生成された場合でも、TPCビット（＋１）が既にＸ回連続して送信されている場合、TPCビット調整部２１３によってTPCビット（−１）が連続して複数回（Ｙ回）に渡って送信される。このため、既存の送信電力制御（インナーループ制御）を踏襲しつつ、上述した問題を回避できる。
【００７４】
［第２実施形態］
次に、本発明の第２実施形態について説明する。本実施形態では、所定の条件を満たす場合にTPCビット（−１）が連続して複数回送信するのではなく、目標受信SIRを低下させる。以下、上述した第１実施形態と異なる部分について主に説明し、同様の部分については、その説明を適宜省略する。
【００７５】
（１）送信電力制御装置の機能ブロック構成
図８は、本実施形態に係る送信電力制御装置を構成する無線基地局２００Ａの機能ブロック構成図である。
【００７６】
第１実施形態に係る無線基地局２００と比較すると、無線基地局２００Ａでは、目標SIR設定部２０５Ａ及びTPCビット監視部２１１Ａの機能が異なる。また、無線基地局２００に備えられていたTPCビット調整部２１３は、無線基地局２００Ａには備えられない。
【００７７】
TPCビット監視部２１１Ａは、TPCビット生成部２０９によって生成され、送信側の制御チャネルにマッピングされたTPCビットの監視結果を目標SIR設定部２０５Ａに通知する。
【００７８】
目標SIR設定部２０５Ａは、TPCビット（＋１）がＸ回連続して送信されたこと、或いは所定期間に送信されたTPCビット（＋１）の割合がｎ％を超えたことがTPCビット監視部２１１Ａによって検出された場合、目標受信SIRを低下させる。本実施形態において、目標SIR設定部２０５Ａは、目標品質値設定部を構成する。
【００７９】
具体的には、目標SIR設定部２０５Ａは、目標受信SIRをＺｄＢ（または真値）だけ低下させる。また、目標SIR設定部２０５Ａは、目標受信SIRをＺｄＢだけ低下させた場合、所定期間に渡って目標受信SIRの変更を中止する「目標受信SIR変更カード区間」を設定する。
【００８０】
（２）送信電力制御装置の動作
図９は、本実施形態に係る無線基地局２００Ａ（送信電力制御装置）の動作フローを示す。また、図１０は、本実施形態に係る目標受信SIRの推移及びTPCビットの送信状態の例を示す。
【００８１】
図９に示すステップＳ２０１及びＳ２０３は、第１実施形態に係るステップＳ１０１及びＳ１０３の同様である。
【００８２】
TPCビット（＋１）がX回連続して送信されている場合（ステップＳ２０３のＹｅｓ）、ステップＳ２０５において、無線基地局２００Ａは、当該時点が目標受信SIRの変更を中止する「目標受信SIR変更カード区間」外か否かを判定する。
【００８３】
当該時点が目標受信SIR変更カード区間外である場合（ステップＳ２０５のＹｅｓ）、ステップＳ２０７において、無線基地局２００Ａは、目標受信SIRをＺｄＢ（例えば、３ｄＢ）だけ低下させる。
【００８４】
一方、TPCビット（＋１）がX回連続して送信されていない場合（ステップＳ２０３のＮｏ）、及び当該時点が目標受信SIR変更カード区間内である場合（ステップＳ２０５のＮｏ）、ステップＳ２０９において、無線基地局２００Ａは、目標受信SIRを変更せず、設定されている目標受信SIRを維持する。
【００８５】
（３）変更例
次に、本実施形態に係る変更例について説明する。図８に示すように、無線基地局２００Ａは、パス測定部２１５を備えてもよい。
【００８６】
パス測定部２１５は、信号受信部２０１から出力された信号、具体的には、無線信号ＲＳを構成する遅延多重波のRAKE合成後の信号に含まれるパスＰの数を測定する。
【００８７】
目標SIR設定部２０５Ａは、パス測定部２１５によって測定されたパス数に応じて、目標受信SIRの低下量を変更する。具体的には、目標SIR設定部２０５Ａは、測定されたパス数が多いほど、目標受信SIRの低下量を大きくする。
【００８８】
（４）作用・効果
本実施形態において送信電力制御装置を構成する無線基地局２００Ａによれば、TPCビット（＋１）がＸ回連続して送信された場合、目標受信SIRをＺｄＢだけ低下させる。このため、マルチパス環境でも、送信電力の上昇によって他の移動局などに対して多大な干渉を与える状態を回避できる。すなわち、無線基地局２００Ａによれば、高速なパケット通信チャネルにおけるピークレートを確保しつつ、他の移動局などへの干渉を効果的に抑制できる。
【００８９】
また、本実施形態では、パス測定部２１５によって測定されたパス数に応じて、目標受信SIRの低下量を変更させることもできる。このため、伝播環境に応じた適切な目標受信SIRの低下量を速やかに設定できる。
【００９０】
［第３実施形態］
次に、本発明の第３実施形態について説明する。本実施形態では、無線信号を構成する遅延多重波の合成後の信号に含まれるパス数に基づいて目標受信SIRが変更される。以下、上述した第１実施形態と異なる部分について主に説明し、同様の部分については、その説明を適宜省略する。
【００９１】
（１）送信電力制御装置の機能ブロック構成
図１１は、本実施形態に係る送信電力制御装置を構成する無線基地局２００Ｂの機能ブロック構成図である。
【００９２】
第１実施形態に係る無線基地局２００と比較すると、無線基地局２００Ｂでは、パス測定部２１５が備えられるとともに、目標SIR設定部２０５Ｂの機能が異なる。また、無線基地局２００に備えられていたTPCビット監視部２１１及びTPCビット調整部２１３は、無線基地局２００Ｂには備えられない。
【００９３】
パス測定部２１５は、無線信号ＲＳを構成する遅延多重波のRAKE合成後の信号に含まれるパスＰの数を測定する。
【００９４】
目標SIR設定部２０５Ｂは、パス測定部２１５によって測定されたパス数に応じて、目標受信SIRもしくは目標受信SIRの上限値を変更する。本実施形態において、目標SIR設定部２０５Ｂは、目標品質値設定部を構成する。
【００９５】
具体的には、目標SIR設定部２０５Ｂは、パス測定部２１５によって測定されたパス数が所定数よりも多い場合、目標受信SIRもしくは目標受信SIRの上限値を低下させる。また、目標SIR設定部２０５Ｂは、パス測定部２１５によって測定されたパス数が増えるに連れて目標受信SIRもしくは目標受信SIRの上限値を徐々に低下させるようにしてもよい。
【００９６】
つまり、目標SIR設定部２０５Ｂは、伝播環境がマルチパス環境である場合、送信電力（S）を上昇すると、干渉電力（I）も同様に大きくなり、測定受信SIRが目標受信SIRに到達し難くなるため、目標受信SIRを低下させる。
【００９７】
（２）送信電力制御装置の動作
図１２は、本実施形態に係る無線基地局２００Ｂ（送信電力制御装置）の動作フローを示す。
【００９８】
図１２に示すように、ステップＳ３０１において、無線基地局２００Ｂは、無線信号ＲＳを受信する。
【００９９】
ステップＳ３０３において、無線基地局２００Ｂは、RAKE合成後の信号に含まれるパスＰの数を測定する。
【０１００】
ステップＳ３０５において、無線基地局２００Ｂは、測定されたパス数に応じて目標受信SIRの上限値を変更する。具体的には、目標SIR設定部２０５Ｂは、測定されたパス数が所定数よりも多い場合、目標受信SIRを低下させる。
【０１０１】
（３）作用・効果
本実施形態において送信電力制御装置を構成する無線基地局２００Ｂによれば、測定されたパス数に応じて、目標受信SIRの上限値が変更される。このため、マルチパス環境でも、送信電力の上昇によって他の移動局などに対して多大な干渉を与える状態を回避できる。すなわち、無線基地局２００Ａによれば、高速なパケット通信チャネルにおけるピークレートを確保しつつ、他の移動局などへの干渉を効果的に抑制できる。
【０１０２】
［その他の実施形態］
上述したように、本発明の第１〜第３実施形態を通じて本発明の内容を開示したが、この開示の一部をなす論述及び図面は、本発明を限定するものであると理解すべきではない。この開示から当業者には様々な代替実施の形態が明らかとなる。
【０１０３】
例えば、上述した実施形態では、無線信号ＲＳの受信品質としてSIRが用いられていたが、他の受信品質（例えば、CIR）などを用いても構わない。
【０１０４】
また、上述した第１実施形態に係る送信電力制御方法と、第２実施形態に係る送信電力制御方法とは、併用することもできる。第１実施形態に係る送信電力制御方法によれば、一定の条件下でTPCビット（−１）を強制的に送信することによって送信電力（及び受信電力）を低下させている。このため、復号後の受信データの品質は劣化する傾向にあり、アウターループ制御において監視されている誤り率が劣化する。
【０１０５】
アウターループ制御では、目標とする誤り率よりも監視している誤り率が悪い場合、目標受信SIRを高く設定するため、インナーループ制御の目標受信SIRと測定受信SIRとの比較において、目標受信SIRが測定受信SIRよりも高くなる傾向がある。したがって、TPCビット（＋１）が送信され、送信電力が上昇する傾向がある。そこで、第２実施形態に係る送信電力制御方法を併用することによって、目標受信SIRも低下させ、インナーループ制御の目標受信SIRと測定受信SIRとの比較において、目標受信SIRが測定受信SIRよりも高くなることを確実に回避できる。
【０１０６】
上述した実施形態では、移動体通信システム１０は、W-CDMA方式を採用していたが、通信方式は、W-CDMA方式に限定されず他の方式でも構わない。
【０１０７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１０８】
１０…移動体通信システム、２０…通信ネットワーク、１００…無線ネットワーク制御装置（ＲＮＣ）、２００，２００Ａ，２００Ｂ…無線基地局、２０１…信号受信部、２０３…SIR測定部、２０５，２０５Ａ，２０５Ｂ…目標SIR設定部、２０７…比較判定部、２０９…TPCビット生成部、２１１，２１１Ａ…TPCビット監視部、２１３…TPCビット調整部、２１５…パス測定部、３００Ａ，３００Ｂ…移動局、Ｐ…パス、ＲＳ…無線信号
【図１】
2010226353.tif 000003
【図２】
2010226353.tif 000004
【図３】
2010226353.tif 000005
【図４】
2010226353.tif 000006
【図５】
2010226353.tif 000007
【図６】
2010226353.tif 000008
【図７】
2010226353.tif 000009
【図８】
2010226353.tif 000010
【図９】
2010226353.tif 000011
【図１０】
2010226353.tif 000012
【図１１】
2010226353.tif 000013
【図１２】
2010226353.tif 000014